(57)【要約】      （修正有）【課題】マンマシンインタラクションが十分にインテリジェントであるウェアラブルデバイスを提供する。【解決手段】ウェアラブルデバイス００１は、データを共有するために、ブルートゥース（登録商標）モジュール０３を使用することにより端末装置に接続され、マルチメディアモジュール０４にローカルに記憶されたデータを使用し、事前設定されたイベントに対応するデータを、マイクロプロセッサ制御ユニット０１を使用することにより監視する。ウェアラブルデバイス００１は、複数の機能を統合するとともに、ウェアラブルデバイス００１のアプリケーションシナリオに従ってモジュール間の接続を切り替え、機能間の迅速な移行を実現し、マンマシンインタラクションのインテリジェンスを改善する。【選択図】図１
2019207689.tif 000002
【特許請求の範囲】
【請求項１】
ウェアラブルデバイスであって、マイクロプロセッサ制御ユニットと、第１スイッチモジュールと、ブルートゥースモジュールと、マルチメディアモジュールとを備え、前記ブルートゥースモジュール、前記マルチメディアモジュール、及び前記マイクロプロセッサ制御ユニットが全て前記第１スイッチモジュールに接続され、
前記ブルートゥースモジュールが、受信されたシナリオ通知に従って前記第１スイッチモジュールにスイッチ要求を送信するように構成され、
前記第１スイッチモジュールが、前記スイッチ要求に従って、前記ブルートゥースモジュールと前記マルチメディアモジュールとの間のデータ伝送接続を確立するか、又は前記ブルートゥースモジュールと前記マイクロプロセッサ制御ユニットとの間のデータ伝送接続を確立するように構成され、
前記マルチメディアモジュールが、マルチメディアファイルを記憶及び再生するように構成されるとともに、前記マイクロプロセッサ制御ユニットが、事前設定されたイベントに対応するデータを監視して記憶するように構成される、ウェアラブルデバイス。
【請求項２】
第１汎用入出力ＧＰＩＯ接続が前記ブルートゥースモジュールと前記第１スイッチモジュールとの間で更に確立されるとともに、前記ブルートゥースモジュールが前記第１ＧＰＩＯ接続を使用することにより前記第１スイッチモジュールに前記スイッチ要求を送信する、請求項１に記載のウェアラブルデバイス。
【請求項３】
前記シナリオ通知が端末装置により送信されたマルチメディアモジュール視聴要求であり、前記スイッチ要求が第１スイッチ要求であり、
前記ブルートゥースモジュールが、前記端末装置により送信された前記マルチメディアモジュール視聴要求を受信し、前記マルチメディアモジュール視聴要求に従って前記第１スイッチモジュールに前記第１スイッチ要求を送信するように具体的に構成され、
前記第１スイッチモジュールが、前記第１スイッチ要求に従って、前記ブルートゥースモジュールと前記マルチメディアモジュールとの間のデータ伝送接続を確立するように構成される、請求項１又は請求項２に記載のウェアラブルデバイス。
【請求項４】
前記シナリオ通知が端末装置により送信されたマイクロプロセッサ制御ユニットデータ同期要求であり、前記スイッチ要求が第２スイッチ要求であり、
前記ブルートゥースモジュールが、前記端末装置により送信された前記マイクロプロセッサ制御ユニットデータ同期要求を受信し、前記マイクロプロセッサ制御ユニットデータ同期要求に従って前記第１スイッチモジュールに前記第２スイッチ要求を送信するように具体的に構成され、
前記第１スイッチモジュールが、前記第２スイッチ要求に従って、前記ブルートゥースモジュールと前記マイクロプロセッサ制御ユニットとの間のデータ伝送接続を確立するように構成される、請求項１又は請求項２に記載のウェアラブルデバイス。
【請求項５】
前記シナリオ通知が前記マイクロプロセッサ制御ユニットにより送信された事前設定イベント発生通知であり、前記スイッチ要求が第３スイッチ要求であり、
第２ＧＰＩＯ接続が前記ブルートゥースモジュールと前記マイクロプロセッサ制御ユニットとの間で確立され、
前記マイクロプロセッサ制御ユニットが、事前設定されたイベントが発生したことを検出する場合に、前記第２ＧＰＩＯ接続を使用することにより前記ブルートゥースモジュールに前記事前設定イベント発生通知を送信するように構成され、
前記ブルートゥースモジュールが、前記マイクロプロセッサ制御ユニットにより送信された前記事前設定イベント発生通知を受信し、前記事前設定イベント発生通知に従って前記第１スイッチモジュールに前記第３スイッチ要求を送信するように具体的に構成され、
前記第１スイッチモジュールが、前記第３スイッチ要求に従って、前記ブルートゥースモジュールと前記マイクロプロセッサ制御ユニットとの間のデータ伝送接続を確立するように構成される、請求項１又は請求項２に記載のウェアラブルデバイス。
【請求項６】
サウンドモジュール及び第２スイッチモジュールを更に備え、
前記サウンドモジュールが前記第２スイッチモジュールに接続されるとともに、前記第２スイッチモジュールが、前記ブルートゥースモジュール、前記マルチメディアモジュール、及び前記マイクロプロセッサ制御ユニットに接続され、
前記マイクロプロセッサ制御ユニットが、ユーザにより入力された選択情報を受信し、前記選択情報に従って前記第２スイッチモジュールに制御信号を送信するように構成され、
前記第２スイッチモジュールが、前記制御信号に従って、前記ブルートゥースモジュールと前記サウンドモジュールとの間の接続を確立するか、又は前記マルチメディアモジュールと前記サウンドモジュールとの間の接続を確立するように構成される、請求項１から請求項５のいずれか一項に記載のウェアラブルデバイス。
【請求項７】
前記サウンドモジュールが第１チャネルユニットと第２チャネルユニットとを備えるとともに、前記第２スイッチモジュールが第１チャネルスイッチユニットと第２チャネルスイッチユニットとを備え、
前記第１チャネルユニットが前記第１チャネルスイッチユニットに接続されるとともに、前記第２チャネルユニットが前記第２チャネルスイッチユニットに接続され、
前記第１チャネルスイッチユニットが、前記ブルートゥースモジュール、前記マルチメディアモジュール、及び前記マイクロプロセッサ制御ユニットに接続されるとともに、前記第２チャネルスイッチユニットが、前記ブルートゥースモジュール、前記マルチメディアモジュール、及び前記マイクロプロセッサ制御ユニットに接続され、
前記マイクロプロセッサ制御ユニットが、前記ユーザにより入力された前記選択情報を受信し、前記選択情報に従って、前記第１チャネルスイッチユニット及び前記第２チャネルスイッチユニットに前記制御信号を送信するように構成され、
前記第１チャネルスイッチユニットが、前記制御信号に従って、前記ブルートゥースモジュールと前記第１チャネルユニットとの間の接続を確立するか、又は前記マルチメディアモジュールと前記第１チャネルユニットとの間の接続を確立するように構成され、
前記第２チャネルスイッチユニットが、前記制御信号に従って、前記ブルートゥースモジュールと前記第２チャネルユニットとの間の接続を確立するか、又は前記マルチメディアモジュールと前記第２チャネルユニットとの間の接続を確立するように構成される、請求項６に記載のウェアラブルデバイス。
【請求項８】
インタフェースモジュール及び第３スイッチモジュールを更に備え、
前記インタフェースモジュールが前記第３スイッチモジュールに接続されるとともに、前記第３スイッチモジュールが、前記ブルートゥースモジュール、前記マルチメディアモジュール、及び前記マイクロプロセッサ制御ユニットに接続され、前記第３スイッチモジュールが、前記ブルートゥースモジュールと前記インタフェースモジュールとの間の接続を最初に確立し、
第２ＧＰＩＯ接続が前記ブルートゥースモジュールと前記マイクロプロセッサ制御ユニットとの間で更に確立され、
前記ブルートゥースモジュールが、端末装置により送信されたアップグレード情報を、前記インタフェースモジュールを使用することにより受信し、前記アップグレード情報のアップグレードタイプを判定し、前記第２ＧＰＩＯ接続を使用することにより前記マイクロプロセッサ制御ユニットに前記アップグレードタイプを送信するように構成され、
前記マイクロプロセッサ制御ユニットが、前記アップグレードタイプに従って、前記第３スイッチモジュールが前記ブルートゥースモジュールと前記インタフェースモジュールとの間の前記接続を前記マルチメディアモジュールと前記インタフェースモジュールとの間の接続に切り替えるかどうかを制御するように構成され、
前記アップグレードタイプが、前記ブルートゥースモジュールをアップグレードすること、前記マイクロプロセッサ制御ユニットをアップグレードすること、又は前記マルチメディアモジュールをアップグレードすることを含む、請求項１に記載のウェアラブルデバイス。
【請求項９】
前記アップグレードタイプが前記マルチメディアモジュールをアップグレードすることである場合、前記マイクロプロセッサ制御ユニットが、前記ブルートゥースモジュールと前記インタフェースモジュールとの間の前記接続を前記マルチメディアモジュールと前記インタフェースモジュールとの間の前記接続に切り替えるように、前記第３スイッチモジュールを制御するように具体的に構成される、請求項８に記載のウェアラブルデバイス。
【請求項１０】
第３ＧＰＩＯ接続が前記マルチメディアモジュールと前記マイクロプロセッサ制御ユニットとの間で更に確立され、
前記マイクロプロセッサ制御ユニットが、前記マルチメディアモジュールにより送信されたアップグレード完了情報を、前記第３ＧＰＩＯ接続を使用することにより受信し、前記アップグレード完了情報に従って、前記マルチメディアモジュールと前記インタフェースモジュールとの間の前記接続を前記ブルートゥースモジュールと前記インタフェースモジュールとの間の前記接続に切り替えるように、前記第３スイッチモジュールを制御するように構成される、請求項９に記載のウェアラブルデバイス。
【請求項１１】
前記ブルートゥースモジュールが前記サウンドモジュールに接続され、
前記ブルートゥースモジュールが、当該ウェアラブルデバイスの再生されるべき情報を事前設定された言語における音声情報に変換し、前記サウンドモジュールに前記事前設定された言語における前記音声情報を送信するように構成され、
前記サウンドモジュールが、前記事前設定された言語における前記音声情報を前記ユーザに対して再生するように構成される、請求項６又は請求項７に記載のウェアラブルデバイス。
【請求項１２】
当該ウェアラブルデバイスが、ネックレス型ウェアラブルデバイスか、又はリストバンド型ウェアラブルデバイスである、請求項１から請求項１１のいずれか一項に記載のウェアラブルデバイス。
【請求項１３】
前記ネックレス型ウェアラブルデバイスの２つの端部が、それぞれ、第１チャネルヘッドセット及び第２チャネルヘッドセットに接続される、請求項１２に記載のウェアラブルデバイス。
【発明の詳細な説明】
【技術分野】
【０００１】
本発明は、ウェアラブルデバイス技術に関し、特に、ウェアラブルデバイスに関する。
【背景技術】
【０００２】
スマートデバイスの開発により、スマートウェアラブルデバイスが、ユーザにとってより一般的になってきている。現在のウェアラブルデバイスは、主に、スマートバンド、スマートウォッチ、スマートネックレスなどを含む。
【０００３】
従来技術では、一般に、全てのウェアラブルデバイスは、ブルートゥースモジュールを含む。ウェアラブルデバイスは、運動、睡眠などの間のユーザの状態を追跡することができ、また、同様に、ブルートゥースを用いて携帯電話に無線で接続して、携帯電話に検出された情報を送信することができる。
【０００４】
しかしながら、従来技術のウェアラブルデバイスは、多様な機能を備えておらず、異なるシナリオにおけるユーザの要求を満たすことができない。すなわち、従来技術のウェアラブルデバイスのマンマシンインタラクションは十分にインテリジェント（intelligent）ではなく、ユーザ体験は貧弱である。
【発明の概要】
【０００５】
本発明の実施例は、ウェアラブルデバイスを提供し、従来技術のウェアラブルデバイスのマンマシンインタラクションが十分にインテリジェントではないという問題を解決する。
【０００６】
本発明の第１の態様は、ウェアラブルデバイスであって、マイクロプロセッサ制御ユニットと、第１スイッチモジュールと、ブルートゥースモジュールと、マルチメディアモジュールとを含み、前記ブルートゥースモジュール、前記マルチメディアモジュール、及び前記マイクロプロセッサ制御ユニットが全て前記第１スイッチモジュールに接続され、前記ブルートゥースモジュールが、受信されたシナリオ通知に従って前記第１スイッチモジュールにスイッチ要求を送信するように構成され、前記第１スイッチモジュールが、前記スイッチ要求に従って、前記ブルートゥースモジュールと前記マルチメディアモジュールとの間のデータ伝送接続を確立するか、又は前記ブルートゥースモジュールと前記マイクロプロセッサ制御ユニットとの間のデータ伝送接続を確立するように構成され、前記マルチメディアモジュールが、マルチメディアファイルを記憶及び再生するように構成されるとともに、前記マイクロプロセッサ制御ユニットが、事前設定されたイベントに対応するデータを監視して記憶するように構成される、ウェアラブルデバイスを提供する。
【０００７】
第１の態様に関連して、第１の態様の第１の可能な実装例において、第１汎用入出力ＧＰＩＯ接続が前記ブルートゥースモジュールと前記第１スイッチモジュールとの間で更に確立されるとともに、前記ブルートゥースモジュールは前記第１ＧＰＩＯ接続を使用することにより前記第１スイッチモジュールに前記スイッチ要求を送信する。
【０００８】
第１の態様、又は第１の態様の第１の可能な実装例に関連して、第１の態様の第２の可能な実装例において、前記シナリオ通知は端末装置により送信されたマルチメディアモジュール視聴要求であり、前記スイッチ要求は第１スイッチ要求であり、前記ブルートゥースモジュールは、前記端末装置により送信された前記マルチメディアモジュール視聴要求を受信し、前記マルチメディアモジュール視聴要求に従って前記第１スイッチモジュールに前記第１スイッチ要求を送信するように具体的に構成され、前記第１スイッチモジュールは、前記第１スイッチ要求に従って、前記ブルートゥースモジュールと前記マルチメディアモジュールとの間のデータ伝送接続を確立するように構成される。
【０００９】
第１の態様、又は第１の態様の第１の可能な実装例に関連して、第１の態様の第３の可能な実装例において、前記シナリオ通知は端末装置により送信されたマイクロプロセッサ制御ユニットデータ同期要求であり、前記スイッチ要求は第２スイッチ要求であり、前記ブルートゥースモジュールは、前記端末装置により送信された前記マイクロプロセッサ制御ユニットデータ同期要求を受信し、前記マイクロプロセッサ制御ユニットデータ同期要求に従って前記第１スイッチモジュールに前記第２スイッチ要求を送信するように具体的に構成され、前記第１スイッチモジュールは、前記第２スイッチ要求に従って、前記ブルートゥースモジュールと前記マイクロプロセッサ制御ユニットとの間のデータ伝送接続を確立するように構成される。
【００１０】
第１の態様、又は第１の態様の第１の可能な実装例に関連して、第１の態様の第４の可能な実装例において、前記シナリオ通知は前記マイクロプロセッサ制御ユニットにより送信された事前設定イベント発生通知であり、前記スイッチ要求は第３スイッチ要求であり、第２ＧＰＩＯ接続が前記ブルートゥースモジュールと前記マイクロプロセッサ制御ユニットとの間で確立され、前記マイクロプロセッサ制御ユニットは、事前設定されたイベントが発生したことを検出する場合に、前記第２ＧＰＩＯ接続を使用することにより前記ブルートゥースモジュールに前記事前設定イベント発生通知を送信するように構成され、前記ブルートゥースモジュールは、前記マイクロプロセッサ制御ユニットにより送信された前記事前設定イベント発生通知を受信し、前記事前設定イベント発生通知に従って前記第１スイッチモジュールに前記第３スイッチ要求を送信するように具体的に構成され、前記第１スイッチモジュールは、前記第３スイッチ要求に従って、前記ブルートゥースモジュールと前記マイクロプロセッサ制御ユニットとの間のデータ伝送接続を確立するように構成される。
【００１１】
第１の態様、又は第１の態様の第１から第４の可能な実装例のいずれか１つに関連して、第１の態様の第５の可能な実装例において、当該ウェアラブルデバイスは、サウンドモジュール及び第２スイッチモジュールを更に含み、前記サウンドモジュールは前記第２スイッチモジュールに接続されるとともに、前記第２スイッチモジュールは、前記ブルートゥースモジュール、前記マルチメディアモジュール、及び前記マイクロプロセッサ制御ユニットに接続され、前記マイクロプロセッサ制御ユニットは、ユーザにより入力された選択情報を受信し、前記選択情報に従って前記第２スイッチモジュールに制御信号を送信するように構成され、前記第２スイッチモジュールは、前記制御信号に従って、前記ブルートゥースモジュールと前記サウンドモジュールとの間の接続を確立するか、又は前記マルチメディアモジュールと前記サウンドモジュールとの間の接続を確立するように構成される。
【００１２】
第１の態様の第５の可能な実装例に関連して、第１の態様の第６の可能な実装例において、前記サウンドモジュールは第１チャネルユニットと第２チャネルユニットとを含むとともに、前記第２スイッチモジュールは第１チャネルスイッチユニットと第２チャネルスイッチユニットとを含み、前記第１チャネルユニットは前記第１チャネルスイッチユニットに接続されるとともに、前記第２チャネルユニットは前記第２チャネルスイッチユニットに接続され、前記第１チャネルスイッチユニットは、前記ブルートゥースモジュール、前記マルチメディアモジュール、及び前記マイクロプロセッサ制御ユニットに接続されるとともに、前記第２チャネルスイッチユニットは、前記ブルートゥースモジュール、前記マルチメディアモジュール、及び前記マイクロプロセッサ制御ユニットに接続され、前記マイクロプロセッサ制御ユニットは、前記ユーザにより入力された前記選択情報を受信し、前記選択情報に従って、前記第１チャネルスイッチユニット及び前記第２チャネルスイッチユニットに前記制御信号を送信するように構成され、前記第１チャネルスイッチユニットは、前記制御信号に従って、前記ブルートゥースモジュールと前記第１チャネルユニットとの間の接続を確立するか、又は前記マルチメディアモジュールと前記第１チャネルユニットとの間の接続を確立するように構成され、前記第２チャネルスイッチユニットは、前記制御信号に従って、前記ブルートゥースモジュールと前記第２チャネルユニットとの間の接続を確立するか、又は前記マルチメディアモジュールと前記第２チャネルユニットとの間の接続を確立するように構成される。
【００１３】
第１の態様に関連して、第１の態様の第７の可能な実装例において、当該ウェアラブルデバイスは、インタフェースモジュール及び第３スイッチモジュールを更に含み、前記インタフェースモジュールは前記第３スイッチモジュールに接続されるとともに、前記第３スイッチモジュールは、前記ブルートゥースモジュール、前記マルチメディアモジュール、及び前記マイクロプロセッサ制御ユニットに接続され、前記第３スイッチモジュールは、前記ブルートゥースモジュールと前記インタフェースモジュールとの間の接続を最初に確立し、第２ＧＰＩＯ接続が前記ブルートゥースモジュールと前記マイクロプロセッサ制御ユニットとの間で更に確立され、前記ブルートゥースモジュールは、端末装置により送信されたアップグレード情報を、前記インタフェースモジュールを使用することにより受信し、前記アップグレード情報のアップグレードタイプを判定し、前記第２ＧＰＩＯ接続を使用することにより前記マイクロプロセッサ制御ユニットに前記アップグレードタイプを送信するように構成され、前記マイクロプロセッサ制御ユニットは、前記アップグレードタイプに従って、前記第３スイッチモジュールが前記ブルートゥースモジュールと前記インタフェースモジュールとの間の前記接続を前記マルチメディアモジュールと前記インタフェースモジュールとの間の接続に切り替えるかどうかを制御するように構成され、前記アップグレードタイプは、前記ブルートゥースモジュールをアップグレードすること、前記マイクロプロセッサ制御ユニットをアップグレードすること、又は前記マルチメディアモジュールをアップグレードすることを含む。
【００１４】
第１の態様の第７の可能な実装例に関連して、第１の態様の第８の可能な実装例において、前記アップグレードタイプが前記マルチメディアモジュールをアップグレードすることである場合、前記マイクロプロセッサ制御ユニットは、前記ブルートゥースモジュールと前記インタフェースモジュールとの間の前記接続を前記マルチメディアモジュールと前記インタフェースモジュールとの間の前記接続に切り替えるように、前記第３スイッチモジュールを制御するように具体的に構成される。
【００１５】
第１の態様の第８の可能な実装例に関連して、第１の態様の第９の可能な実装例において、第３ＧＰＩＯ接続が前記マルチメディアモジュールと前記マイクロプロセッサ制御ユニットとの間で更に確立され、前記マイクロプロセッサ制御ユニットは、前記マルチメディアモジュールにより送信されたアップグレード完了情報を、前記第３ＧＰＩＯ接続を使用することにより受信し、前記アップグレード完了情報に従って、前記マルチメディアモジュールと前記インタフェースモジュールとの間の前記接続を前記ブルートゥースモジュールと前記インタフェースモジュールとの間の前記接続に切り替えるように、前記第３スイッチモジュールを制御するように構成される。
【００１６】
第１の態様の第５又は第６の可能な実装例に関連して、第１の態様の第１０の可能な実装例において、前記ブルートゥースモジュールは前記サウンドモジュールに接続され、前記ブルートゥースモジュールは、当該ウェアラブルデバイスの再生されるべき情報を事前設定された言語における音声情報に変換し、前記サウンドモジュールに前記事前設定された言語における前記音声情報を送信するように構成され、前記サウンドモジュールは、前記事前設定された言語における前記音声情報を前記ユーザに対して再生するように構成される。
【００１７】
第１の態様、又は第１の態様の第１から第１０の可能な実装例のいずれか１つに関連して、第１の態様の第１１の可能な実装例において、当該ウェアラブルデバイスは、ネックレス型ウェアラブルデバイスか、又はリストバンド型ウェアラブルデバイスである。
【００１８】
第１の態様の第１１の可能な実装例に関連して、第１の態様の第１２の可能な実装例において、前記ネックレス型ウェアラブルデバイスの２つの端部は、それぞれ、第１チャネルヘッドセット及び第２チャネルヘッドセットに接続される。
【００１９】
本発明の実施例で提供されるウェアラブルデバイスは、ブルートゥースモジュール及びマルチメディアモジュールを含む。したがって、ウェアラブルデバイスは、ブルートゥースモジュールを使用することにより別の端末装置に接続されてデータを交換することができるだけでなく、マルチメディアモジュールにローカルに記憶されたデータを使用することができ、さらに、事前設定されたイベントに対応するデータを、マイクロプロセッサ制御ユニットを使用することにより監視することができる。このようにして、ウェアラブルデバイスは、複数の機能を統合し、ユーザにより多くの体験（experience）を提供する。さらに、ブルートゥースモジュールは、受信されたシナリオ通知に従って第１スイッチモジュールにスイッチ要求を送信し、スイッチ要求に従って、第１スイッチモジュールは、ブルートゥースモジュールとマルチメディアモジュールとの間のデータ伝送接続を確立するか、又はブルートゥースモジュールとマイクロプロセッサ制御ユニットとの間のデータ伝送接続を確立する。したがって、内部モジュール間の接続が、ウェアラブルデバイスの特定のアプリケーションシナリオに従って動的に切り替えられることができ、機能は迅速に変えられることができる。これは、マンマシンインタラクションのインテリジェンス（intelligence）を大幅に改善し、ユーザの要求をより良く満たし、そしてユーザ体験を改善する。
【００２０】
本発明の実施例におけるか又は従来技術における技術的解決法をより明確に説明するために、下記は、実施例又は従来技術を説明するために必要とされる添付図面を簡単に説明する。明らかに、下記の説明における添付図面は本発明のいくつかの実施例を表すとともに、当業者は、創造的な努力なしでこれらの添付図面から更に他の図面を導き出し得る。
【図面の簡単な説明】
【００２１】
【図１】本発明によるウェアラブルデバイスの実施例１の概略構成図である。
【図２】本発明によるウェアラブルデバイスの実施例２の概略構成図である。
【図３】本発明によるウェアラブルデバイスの実施例３の概略構成図である。
【図４】本発明によるウェアラブルデバイスの実施例４の概略構成図である。
【発明を実施するための形態】
【００２２】
本発明の実施例の目的、技術的解決法、及び利点をより明確にするために、下記は、本発明の実施例における添付図面を参照して、本発明の実施例における技術的解決法を明確かつ十分に説明する。明らかに、説明される実施例は本発明の実施例の全てではなく一部である。創作的な努力なしで本発明の実施例に基づいて当業者により獲得される他の全ての実施例は、本発明の保護範囲に含まれるものとする。
【００２３】
図１は、本発明によるウェアラブルデバイスの実施例１の概略構成図である。図１において示されるように、ウェアラブルデバイス００１は、マイクロプロセッサ制御ユニット（Microprocessor  Control  Unit、略してＭＣＵ）０１、第１スイッチモジュール０２、ブルートゥースモジュール０３、及びマルチメディアモジュール０４を含む。
【００２４】
ブルートゥースモジュール０３、マルチメディアモジュール０４、及びマイクロプロセッサ制御ユニット０１は全て第１スイッチモジュール０２に接続される。
【００２５】
ブルートゥースモジュール０３は、受信されたシナリオ通知に従って第１スイッチモジュール０２にスイッチ要求を送信するように構成される。
【００２６】
第１スイッチモジュール０２は、スイッチ要求に従って、ブルートゥースモジュール０３とマルチメディアモジュール０４との間のデータ伝送接続を確立するか、又はブルートゥースモジュール０３とマイクロプロセッサ制御ユニット０１との間のデータ伝送接続を確立するように構成される。
【００２７】
データ伝送接続は、ユニバーサル非同期受信機／送信機（Universal  Asynchronous  Receiver/Transmitter、略してＵＡＲＴ）接続であり得る。ＵＡＲＴ接続は、主に、モジュール間でデータを伝送するために使用される。もちろん、本発明は、ＵＡＲＴプロトコルに限定されず、接続は別のプロトコルを用いて確立されてもよい。
【００２８】
特定の実装プロセスでは、例えば、初期状態において、第１スイッチモジュール０２とブルートゥースモジュール０３との間でデータ伝送接続が確立され、第１スイッチモジュール０２とマルチメディアモジュール０４との間でデータ伝送接続が確立されるとともに、第１スイッチモジュール０２とマイクロプロセッサ制御ユニット０１との間でデータ伝送接続が確立される。第１スイッチモジュール０２は、スイッチ要求に従って、内部スイッチを切り替え、ブルートゥースモジュール０３をマルチメディアモジュール０４に接続するか、又はブルートゥースモジュール０２をマイクロプロセッサ制御ユニット０１に接続し、それにより、ブルートゥースモジュール０３とマルチメディアモジュール０４との間のデータ伝送接続、又はブルートゥースモジュール０２とマイクロプロセッサ制御ユニット０１との間のデータ伝送接続を確立する。
【００２９】
マルチメディアモジュール０４は、マルチメディアファイルを記憶して再生するように構成される。すなわち、ウェアラブルデバイス００１は、マルチメディアファイルをローカルに記憶して再生し得る。マルチメディアファイルのフォーマットは、ムービングピクチャエキスパートグループオーディオレイヤ３（MPEG-1  Audio  Layer  3、略してＭＰ３）、ウィンドウズオーディオボリューム（Windows  Audio  Volume、略してＷＡＶ）、又はアドバンストオーディオコーディング（Advanced  Audio  Coding、略してＡＡＣ）であり得るが、しかしこれに限定されない。その代わりに、マルチメディアファイルは、音楽、テキスト、画像、又は他のフォーマットであってもよい。
【００３０】
マイクロプロセッサ制御ユニット０１は、事前設定されたイベントに対応するデータを監視して記憶するように構成される。具体的には、事前設定されたイベントは運動イベントであり得るとともに、運動イベントに対応するデータは、例えば運動時間、運動距離、運動タイプ、運動速度、及び消費カロリーなどの様々なパラメータを含み得る。その代わりに、事前設定されたイベントは健康監視イベントであり得るとともに、健康監視イベントに対応するデータは、例えばユーザの心拍数、血圧、及び睡眠状態などのパラメータを含み得るが、しかしこれに限定されない。具体的には、マイクロプロセッサ制御ユニット０１上に異なるセンサを構成することにより、異なる事前設定されたイベントが実装され得る。
【００３１】
本発明の実施例において提供されるウェアラブルデバイス００１は、ブルートゥースモジュール０３を使用することにより、端末装置に対する接続を確立し得る。端末装置は、例えば携帯電話やタブレットコンピュータなどの携帯端末であり得る。ウェアラブルデバイス００１に対応するアプリケーションプログラム（Application  Program、略してＡＰＰ）が端末装置にインストールされ得る。このようにして、ユーザは端末装置を使用することによりウェアラブルデバイス００１を制御することができるか、又はデータは、ウェアラブルデバイス００１と端末装置との間で同期化されることができる。端末装置上の対応するＡＰＰは、ウェアラブルデバイス００１により取得されたデータを分析することができ、例えば、ユーザの運動情報及び健康情報のような様々なパラメータを分析することができる。ウェアラブルデバイス００１は、同様に、端末装置の一部のデータを共有してもよく、例えば、端末装置に記憶されたマルチメディアファイルを再生することができる。
【００３２】
ブルートゥースモジュール０３は、ブルートゥース接続を使用することにより端末装置により送信されたシナリオ通知、又はウェアラブルデバイス００１における別のモジュールにより送信されたシナリオ通知を受信し、シナリオ通知に従って対応するシナリオを特定するとともに、対応するスイッチ要求を生成することができる。例えば、いくつかのシナリオにおいて、マルチメディアモジュール内のデータを取得する必要がある場合、第１スイッチモジュール０２は、ブルートゥースモジュール０３とマルチメディアモジュール０４との間で接続を確立することを要求される。いくつかのシナリオにおいて、マイクロプロセッサ制御ユニット０１内のデータを取得する必要がある場合、又はマイクロプロセッサ制御ユニット０１が何らかの動作を実行する必要がある場合、ブルートゥースモジュール０３とマイクロプロセッサ制御ユニット０１との間の接続が確立される。シナリオの例は、ここでは列挙されない。
【００３３】
この実施例において提供されるウェアラブルデバイスは、ブルートゥースモジュール及びマルチメディアモジュールを含むので、ウェアラブルデバイスは、ブルートゥースモジュールを使用することにより別の端末装置に接続されてデータを交換することができるだけでなく、マルチメディアモジュールにローカルに記憶されたデータを使用することができ、さらに、事前設定されたイベントに対応するデータを、マイクロプロセッサ制御ユニットを使用することにより監視することができる。すなわち、ウェアラブルデバイスは、複数の機能を統合し、ユーザにとってより広範な体験を提供する。さらに、ブルートゥースモジュールは、受信されたシナリオ通知に従って第１スイッチモジュールにスイッチ要求を送信し、第１スイッチモジュールは、スイッチ要求に従って、ブルートゥースモジュールとマルチメディアモジュールとの間のデータ伝送接続を確立するか、又はブルートゥースモジュールとマイクロプロセッサ制御ユニットとの間のデータ伝送接続を確立する。すなわち、内部モジュール間の接続が、ウェアラブルデバイスの特定のアプリケーションシナリオに従って動的に切り替えられることができ、それにより、機能間の迅速な移行を実現する。これは、マンマシンインタラクションのインテリジェンス（intelligence）を大幅に改善し、そしてユーザの要求をより良く満たす。
【００３４】
図１を参照し、前述した実施例に基づくと、第１汎用入出力（General  Purpose  Input  Output、略してＧＰＩＯ）接続がブルートゥースモジュール０３と第１スイッチモジュール０２との間で更に確立される。ブルートゥースモジュール０３は、第１ＧＰＩＯ接続を使用することにより第１スイッチモジュール０２にスイッチ要求を送信する。
【００３５】
前述の実施例に基づくと、様々なシナリオ通知が存在し得る。具体的には、下記のシナリオが含まれ得る。
【００３６】
（１）シナリオ通知は端末装置により送信されたマルチメディアモジュール視聴要求であり、スイッチ要求は第１スイッチ要求である。
【００３７】
これに対応して、ブルートゥースモジュール０３は、端末装置により送信されたマルチメディアモジュール視聴要求を受信し、マルチメディアモジュール視聴要求に従って第１スイッチモジュール０２に第１スイッチ要求を送信するように具体的に構成される。
【００３８】
第１スイッチモジュール０２は、第１スイッチ要求に従って、ブルートゥースモジュール０３とマルチメディアモジュール０４との間のデータ伝送接続を確立する。このようにして、ブルートゥースモジュール０３は、マルチメディアモジュール０４内のデータを読み取り、関連するデータを端末装置にフィードバックすることができる。
【００３９】
具体的には、ブルートゥースモジュール０３を使用することにより、端末装置は、マルチメディアモジュール０４内のファイルディレクトリを閲覧することができるか、又は例えばファイル名やファイルタイプなどの様々な情報を閲覧することができる。
【００４０】
（２）シナリオ通知は端末装置により送信されたマイクロプロセッサ制御ユニットデータ同期要求であり、スイッチ要求は第２スイッチ要求である。
【００４１】
これに対応して、ブルートゥースモジュール０３は、端末装置により送信されたマイクロプロセッサ制御ユニットデータ同期要求を受信し、マイクロプロセッサ制御ユニットデータ同期要求に従って第１スイッチモジュール０２に第２スイッチ要求を送信するように具体的に構成される。
【００４２】
第１スイッチモジュール０２は、第２スイッチ要求に従って、ブルートゥースモジュール０３とマイクロプロセッサ制御ユニット０１との間のデータ伝送接続を確立するように構成される。このようにして、ブルートゥースモジュール０３は、マイクロプロセッサ制御ユニット０１からデータを読み取り、同期化のために、データを端末装置にフィードバックすることができる。
【００４３】
（３）シナリオ通知はマイクロプロセッサ制御ユニットにより送信された事前設定イベント発生通知であり、スイッチ要求は第３スイッチ要求である。
【００４４】
これに対応して、第２ＧＰＩＯ接続がブルートゥースモジュール０３とマイクロプロセッサ制御ユニット０１との間で更に確立される。マイクロプロセッサ制御ユニット０１は、第２ＧＰＩＯ接続を使用することにより、ブルートゥースモジュール０３にいくつかの通知メッセージを送信し得る。
【００４５】
具体的には、マイクロプロセッサ制御ユニット０１は、事前設定されたイベントが発生したことを検出する場合に、第２ＧＰＩＯ接続を使用することによりブルートゥースモジュール０３に事前設定イベント発生通知を送信する。具体的には、マイクロプロセッサ制御ユニット０１は、少なくとも１つの事前設定イベントを監視するように事前設定されてもよい。
【００４６】
ブルートゥースモジュール０３は、マイクロプロセッサ制御ユニット０１により送信された事前設定イベント発生通知を受信し、事前設定イベント発生通知に従って第１スイッチモジュール０２に第３スイッチ要求を送信するように具体的に構成される。
【００４７】
第１スイッチモジュール０２は、第３スイッチ要求に従って、ブルートゥースモジュール０３とマイクロプロセッサ制御ユニット０１との間のデータ伝送接続を確立するように構成される。
【００４８】
具体的には、事前設定イベント発生通知は、運動目標達成通知、運動パラメータ監視通知、デバイス状態通知などであり得る。ユーザは、接続された端末上のＡＰＰを使用することにより、“毎日１５００歩を歩く”という運動目標を事前設定することができる。この場合、マイクロプロセッサ制御ユニット０１が、運動目標が達成されたことを示している、ユーザがその日に１５００歩を歩いたことを検出した場合に、マイクロプロセッサ制御ユニット０１は、ブルートゥースモジュール０３に運動目標達成通知を送信する。
【００４９】
もちろん、本発明は、上記のシナリオに限定されない。様々なアプリケーションシナリオが具体的に構成されることができ、モジュール間の接続は、異なるシナリオ要件に従って動的に切り替えられることができる。
【００５０】
図２は、本発明によるウェアラブルデバイスの実施例２の概略構成図である。図２において示されるように、図１に基づくと、ウェアラブルデバイス００１は、サウンドモジュール０５及び第２スイッチモジュール０６を更に含み得る。
【００５１】
サウンドモジュール０５は、第２スイッチモジュール０６に接続される。第２スイッチモジュール０６は、ブルートゥースモジュール０３、マルチメディアモジュール０４、及びマイクロプロセッサ制御ユニット０１に接続される。
【００５２】
マイクロプロセッサ制御ユニット０１は、ユーザにより入力された選択情報を受信し、選択情報に従って第２スイッチモジュール０６に制御信号を送信するように更に構成される。
【００５３】
第２スイッチモジュール０６は、制御信号に従って、ブルートゥースモジュール０３をサウンドモジュール０５に接続するか、又はマルチメディアモジュール０４をサウンドモジュール０５に接続するように構成される。
【００５４】
選択情報は、ユーザによるマルチメディアファイル再生モードの選択に関する情報であり得る。例えば、ユーザは、ブルートゥースモード又はローカルマルチメディアモードを選択し得る。
【００５５】
特定の実装の間、ユーザがブルートゥースモード又はローカルマルチメディアモードを選択するために、ウェアラブルデバイス００１上にモード選択スイッチ１０が配置され得る。その代わりに、ウェアラブルデバイス００１にブルートゥースを用いて接続された端末装置上のＡＰＰを使用することにより、ブルートゥースモード又はローカルマルチメディアモードが選択され得る。
【００５６】
ユーザがローカルマルチメディアモードを選択した場合、マルチメディアモジュール０４はローカルに記憶されたマルチメディアファイルを再生し、ユーザはマルチメディアモジュール０４にローカルに記憶されたマルチメディアファイルを楽しむことができる。ユーザがブルートゥースモードを選択した場合、ユーザは、接続された端末装置に記憶されたマルチメディアファイルを、ブルートゥースモジュール０３を使用して楽しむ。これは、ユーザの要求や好みに従ってユーザがマルチメディアファイル再生モードを自由に選択することを可能にするとともに、内部モジュール間の接続は、迅速に切り替えられることができる。
【００５７】
サウンドモジュール０５は、スピーカ及びヘッドセットジャックを含み、ヘッドセットが差し込まれているか否かに従ってヘッドセット又はスピーカを使用することにより、オーディオマルチメディアファイルのサウンドを再生することができる。
【００５８】
さらに図２を参照し、前述した実施例に基づくと、サウンドモジュール０５は、第１チャネルユニット５１及び第２チャネルユニット５２を含み得る。これに対応して、第２スイッチユニット０６は、第１チャネルスイッチユニット６１及び第２チャネルスイッチユニット６２を含み得る。第１チャネルユニット５１は第１チャネルスイッチユニット６１に接続されるとともに、第２チャネルユニット５２は第２チャネルスイッチユニット６２に接続される。第１チャネルユニット５１は、ブルートゥースモジュール０３、マルチメディアモジュール０４、及びマイクロプロセッサ制御ユニット０１に接続されるとともに、第２チャネルスイッチユニット６２は、ブルートゥースモジュール０３、マルチメディアモジュール０４、及びマイクロプロセッサ制御ユニット０１に接続される。
【００５９】
マイクロプロセッサ制御ユニット０１は、ユーザにより入力された選択情報を受信し、選択情報に従って、第１チャネルスイッチユニット６１及び第２チャネルスイッチユニット６２に制御信号を送信するように構成される。
【００６０】
選択情報は、ユーザによるマルチメディアファイル再生モードの選択に関する情報であり得る。例えば、ユーザは、ブルートゥースモード又はローカルマルチメディアモードを選択し得る。
【００６１】
これに対応して、第１チャネルスイッチユニット６１は、制御信号に従って、ブルートゥースモジュール０３を第１チャネルユニット５１に接続するか、又はマルチメディアモジュール０４を第１チャネルユニット５１に接続するように構成される。
【００６２】
第２チャネルスイッチユニット６２は、制御信号に従って、ブルートゥースモジュール０３を第２チャネルスイッチユニット６２に接続するか、又はマルチメディアモジュール０４を第２チャネルスイッチユニット６２に接続するように構成される。
【００６３】
第１チャネルスイッチユニット６１と第２チャネルスイッチユニット６２は、同じ制御信号に従って同じ動作を行う、という点に注意が必要である。すなわち、第１チャネルスイッチユニット６１がブルートゥースモジュール０３を第１チャネルユニット５１に接続する場合に、第２チャネルスイッチユニット６２は、ブルートゥースモジュール０３を第２チャネルスイッチユニット６２に接続し、第１チャネルスイッチユニット６１がマルチメディアモジュール０４を第１チャネルユニット５１に接続する場合に、第２チャネルスイッチユニット６２は、マルチメディアモジュール０４を第２チャネルスイッチユニット６２に接続する。
【００６４】
具体的には、例えば、ユーザがブルートゥースモードを選択する場合に、マイクロプロセッサ制御ユニット０１は、第１チャネルスイッチユニット６１及び第２チャネルスイッチユニット６２に第１制御信号を送信し、第１チャネルスイッチユニット６１は、第１制御信号に従って、ブルートゥースモジュール０３を第１チャネルユニット５１に接続し、第２チャネルスイッチユニット６２は、第１制御信号に従って、ブルートゥースモジュール０３を第２チャネルスイッチユニット６２に接続する。
【００６５】
ユーザがローカルマルチメディアモードを選択する場合に、マイクロプロセッサ制御ユニット０１は、第１チャネルスイッチユニット６１及び第２チャネルスイッチユニット６２に第２制御信号を送信し、第１チャネルスイッチユニット６１は、第２制御信号に従って、マルチメディアモジュール０４を第１チャネルユニット５１に接続し、第２チャネルスイッチユニット６２は、第２制御信号に従って、マルチメディアモジュール０４を第２チャネルスイッチユニット６２に接続する。
【００６６】
この実施例において提供されるウェアラブルデバイス００１は、２つのチャネルを含み、ユーザがオーディオマルチメディアファイルをより良く楽しむことを可能にする。
【００６７】
図３は、本発明によるウェアラブルデバイスの実施例３の概略構成図である。図３において示されるように、ウェアラブルデバイス００１は、インタフェースモジュール０７及び第３スイッチモジュール０８を更に含む。
【００６８】
インタフェースモジュール０７は第３スイッチモジュール０８に接続されるとともに、第３スイッチモジュール０８は、ブルートゥースモジュール０３、マルチメディアモジュール０４、マイクロプロセッサ制御ユニット０１に接続される。第３スイッチモジュール０８は、ブルートゥースモジュール０３とインタフェースモジュール０７との間の接続を最初に確立する。すなわち、電源オンの間、初期状態は、ブルートゥースモジュール０３がインタフェースモジュール０７に接続された状態に第３スイッチモジュール０８が切り替わることであり、その結果、ウェアラブルデバイス００１に接続された端末装置は、ブルートゥースを使用することにより、ウェアラブルデバイスに情報を送信する。
【００６９】
第２ＧＰＩＯ接続がブルートゥースモジュール０３とマイクロプロセッサ制御ユニット０１との間で更に確立される。
【００７０】
ブルートゥースモジュール０３は、端末装置により送信されたアップグレード情報を、インタフェースモジュール０７を使用することにより受信し、アップグレード情報のアップグレードタイプを判定し、第２ＧＰＩＯ接続を使用することによりマイクロプロセッサ制御ユニット０１にアップグレードタイプを送信する。
【００７１】
マイクロプロセッサ制御ユニット０１は、アップグレードタイプに従って、第３スイッチモジュール０３が“ブルートゥースモジュール０３とインタフェースモジュール０７との間の接続”を“マルチメディアモジュール０４とインタフェースモジュール０７との間の接続”に切り替えるかどうかを制御する。
【００７２】
アップグレードタイプは、ブルートゥースモジュールをアップグレードすること、マイクロプロセッサ制御ユニットをアップグレードすること、又はマルチメディアモジュールをアップグレードすることを含む。
【００７３】
一般に、アップグレードタイプがブルートゥースモジュールをアップグレードすること、又はマイクロプロセッサ制御ユニットをアップグレードすることである場合、切り替えは実行されない。すなわち、ブルートゥースモジュール０３とインタフェースモジュール０７との間の接続が維持される。
【００７４】
アップグレードタイプがマルチメディアモジュールをアップグレードすることである場合、マイクロプロセッサ制御ユニット０１は、“ブルートゥースモジュール０３とインタフェースモジュール０７との間の接続”を“マルチメディアモジュール０４とインタフェースモジュール０７との間の接続”に切り替えるように、第３スイッチモジュール０８を制御する。このようにして、マルチメディアモジュール０４は、インタフェースモジュール０７を使用することによりアップグレード情報を受信し、アップグレード情報に従ってアップグレードされる。
【００７５】
アップグレード情報は、アップグレードパッケージを搬送する。アップグレードパッケージは、端末装置上の、ウェアラブルデバイス００１に対応するＡＰＰにより提供され得るとともに、より具体的には、ＡＰＰのバックグラウンドサーバにより提供される。
【００７６】
前述の実施例に基づくと、第３ＧＰＩＯ接続がマルチメディアモジュール０４とマイクロプロセッサ制御ユニット０１との間で更に確立される。
【００７７】
マイクロプロセッサ制御ユニット０１は、マルチメディアモジュール０４により送信されたアップグレード完了情報を、第３ＧＰＩＯ接続を使用することにより受信し、アップグレード完了情報に従って、マルチメディアモジュール０４とインタフェースモジュール０７との間の接続をブルートゥースモジュール０３とインタフェースモジュール０７との間の接続に切り替えるように、第３スイッチモジュール０８を制御し、すなわち、初期接続状態を復元する。
【００７８】
別の実施例において、ブルートゥースモジュール０３は、サウンドモジュール０５に接続され得る。ブルートゥースモジュール０３は、ウェアラブルデバイス００１の再生されるべき情報を事前設定された言語における音声情報に変換し、サウンドモジュール０５に事前設定された言語における音声情報を送信する。サウンドモジュール０５は、事前設定された言語における音声情報をユーザに対して再生する。
【００７９】
特定の実装プロセスでは、ブルートゥースモジュール０３は、テキスト読み上げ（Text  To  Speech、略してＴＴＳ）アルゴリズム及び多言語音声パッケージを統合し得る。ユーザは、ウェアラブルデバイス００１においてボタンを使用することにより、再生言語を事前設定された言語として予め選択するか、又は端末装置上の対応するＡＰＰを使用することにより、再生言語を事前設定された言語として選択することができる。ブルートゥースモジュール０３は、サウンドモジュール０５により再生するために、事前設定された言語及び多言語音声パッケージに従ってＴＴＳアルゴリズムを使用することにより、ウェアラブルデバイス００１の再生されるべき情報を事前設定された言語における音声情報に変換する。
【００８０】
再生されるべき情報は、ウェアラブルデバイス００１の状態情報、例えば、ブルートゥース接続状態、ブルートゥース切断状態、電源オン／電源オフ状態、及びバッテリレベルを含み得るとともに、ウェアラブルデバイス００１により監視されるユーザ運動情報、ユーザ健康情報など、例えば、ユーザにより消費されるカロリーに関する情報、運動期間情報、血圧情報、及び心拍数情報を更に含み得る。
【００８１】
図４は、本発明によるウェアラブルデバイスの実施例４の概略構成図である。図４は、完全なウェアラブルデバイス００１の概略回路図である。もちろん、本発明はこれに限定されない。図４において示されるように、ウェアラブルデバイスは、ウェアラブルデバイスの異なる状態をユーザに気付かせるように構成されたイベントリマインダユニット０９を更に含むことができる。
【００８２】
より具体的には、イベントリマインダユニット０９は、インジケータライト９１、モータ９２、及びホール（Hall）部品９３を含むことができる。
【００８３】
インジケータライト９１は、ブルートゥースモジュール０３及びマイクロプロセッサ制御ユニット０１に接続され、異なる色又は異なるフリッカ周波数を使用することにより、異なる状態をユーザに気付かせることができる。例えば、ウェアラブルデバイスが低バッテリレベルであること、ウェアラブルデバイスが既にブルートゥース接続されていることなどをユーザに気付かせるために、異なる色が使用される。インジケータライトは、発光ダイオード（Light  Emitting  Diode、略してＬＥＤ）ライトであり得る。
【００８４】
モータ９２は、ブルートゥースモジュール０３に接続されており、ウェアラブルデバイス００１を振動させ、振動、例えばコールリマインダ、アラームクロックリマインダ、又は運動目標達成リマインダを用いて、いくつかの事前設定されたイベントをユーザに気付かせることができる。
【００８５】
ホール部品９３はブルートゥースモジュール０３に接続され、ウェアラブルデバイス００１に接続されたヘッドセットが接触状態にあるかどうかを検出するように構成され得る。ヘッドセットが接触状態にある場合、デバイスは待機中であり、呼出しを監視するか、及び／又は運動状態を記録するだけで、他の機能は無効にされ、その結果デバイスの電力消費を低減する。ヘッドセットが分離状態にある場合、例えば呼出しに応答する、及び音楽を聴くなどの機能が実行されることができる。
【００８６】
さらに、ウェアラブルデバイス００１は、ネックレス型ウェアラブルデバイス、又はリストバンド型ウェアラブルデバイスであり得るが、これに限定されない。ウェアラブルデバイス００１は、その代わりに、眼鏡型ウェアラブルデバイス、イヤリング型ウェアラブルデバイスなどであり得る。
【００８７】
ネックレス型ウェアラブルデバイスの場合、ネックレス型ウェアラブルデバイスの２つの端部は、それぞれ、第１のチャネルヘッドセット及び第２のチャネルヘッドセットに接続され得る。特定の実装プロセスでは、第１のチャネルヘッドセット及び第２のチャネルヘッドセットは、それぞれ、対応する第１のチャネルユニット及び第２のチャネルユニットに接続されることができ、本発明において提供されるウェアラブルデバイスが２つのチャネルを含むという利点を利用する。リストバンドと比較して、ヘッドセットはネックレスの２つの端部に直接配置されており、ネックレスは、ユーザの運動に影響を与えることなく、ユーザが着用して使用することが容易である。リストバンドは、通常、ユーザの運動に影響を与えないように、モノラルのブルートゥースヘッドセットを備えている。
【００８８】
さらに、図４を参照すると、ウェアラブルデバイス００１は、調整ボタン１１を更に含み得る。調整ボタン１１は、マイクロプロセッサ制御ユニット０１に接続される。調整ボタン１１を操作することにより、ユーザは、ウェアラブルデバイス００１の電源のオン／オフを制御することができるとともに、ウェアラブルデバイス００１によるマルチメディアファイルの再生中に音量を調整することができる。
【００８９】
ウェアラブルデバイス００１は、センサ１２を更に含み得る。センサ１２は、マイクロプロセッサ制御ユニット０１に接続されており、マイクロプロセッサ制御ユニット０１の制御下で、事前設定されたイベントを監視するように構成される。特定の実装の間、マイクロプロセッサ制御ユニット０１は、異なるイベントの監視を実施するために、複数の異なるセンサに接続されてもよい。
【００９０】
ウェアラブルデバイス００１は、ブルートゥースモジュール０３に接続されるとともに、ウェアラブルデバイス００１に必要なプログラムを記憶するように構成されるプログラム記憶モジュール１３を更に含み得る。
【００９１】
ウェアラブルデバイス００１は、ブルートゥースモジュール０４に接続され得るとともに、ウェアラブルデバイス００１に電力を供給するように構成されるバッテリ１４を更に含み得る。
【００９２】
アップル社が提供するデバイスに接続するために、ＭＦＩ（Made  for  iOS）モジュール１５がウェアラブルデバイス００１上に更に配置され得る。ＭＦＩモジュール１５は、ブルートゥースモジュール０３に接続されるとともに、ウェアラブルデバイスを、例えばｉＰｈｏｎｅ、ｉＰａｄ、又はｉＰｏｄなどのアップル社が提供するデバイスに接続するように構成される。
【００９３】
もちろん、本発明のこの実施例で提供されるウェアラブルデバイスによれば、モジュール間の接続が柔軟に切り替えられることができ、それにより、ウェアラブルデバイスの複数の機能の一体化を達成することができる。しかしながら、ウェアラブルデバイスは、上記の機能に限定されず、特定の要件に従って別の構成要素が追加されてもよい。例えば、マルチメディアモジュール０４の記憶領域を拡張するために、マルチメディアモジュール０４に接続されたメモリカードスロットが更に設けられ得る。このようにして、記憶領域を拡張するというユーザの要求に従って、メモリカードが設置され得る。
【００９４】
最後に、前述の実施例は、本発明を限定するためではなく、単に本発明の技術的解決法を説明するために意図されているに過ぎない、という点に注意が必要である。前述の実施例に関連して本発明が詳細に説明されたが、当業者は、本発明の実施例の技術的解決法の範囲から逸脱することなく、前述の実施例において説明された技術的解決法にさらに修正を行い得るか、又は、それらのいくつかの技術的特徴に等価な置換を行い得る、ということを理解すべきである。
【図１】
2019207689.tif 000003
【図２】
2019207689.tif 000004
【図３】
2019207689.tif 000005
【図４】
2019207689.tif 000006
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
ブルートゥースイヤホンであって、マイクロプロセッサ制御ユニットと、第１スイッチモジュールと、ブルートゥースモジュールと、マルチメディアモジュールとを備え、前記ブルートゥースモジュール、前記マルチメディアモジュール、及び前記マイクロプロセッサ制御ユニットが全て前記第１スイッチモジュールに接続され、
前記ブルートゥースモジュールが、受信されたシナリオ通知に従って前記第１スイッチモジュールにスイッチ要求を送信するように構成され、
前記第１スイッチモジュールが、前記スイッチ要求に従って、前記ブルートゥースモジュールを前記マルチメディアモジュールに対して接続するように切り替えるか、又は、前記ブルートゥースモジュールと前記マイクロプロセッサ制御ユニットとを接続するように構成され、
前記マルチメディアモジュールが、マルチメディアファイルを記憶及び再生するように構成されるとともに、前記マイクロプロセッサ制御ユニットが、事前設定されたイベントに対応するデータを監視して記憶するように構成され、
前記マルチメディアモジュールは、前記マルチメディアモジュール内に記憶されているマルチメディアファイルの選択に応じて、前記記憶されているマルチメディアファイルを再生し、前記ブルートゥースモジュールは、ブルートゥースモードの選択に応じて、前記ブルートゥースイヤホンを用いて接続されている端末装置からマルチメディアファイルを再生する、
ブルートゥースイヤホン。
【請求項２】
第１汎用入出力ＧＰＩＯ接続が前記ブルートゥースモジュールと前記第１スイッチモジュールとの間で更に確立されるとともに、前記ブルートゥースモジュールが前記第１ＧＰＩＯ接続を使用することにより前記第１スイッチモジュールに前記スイッチ要求を送信する、
請求項１に記載のブルートゥースイヤホン。
【請求項３】
前記シナリオ通知が前記端末装置により送信されたマルチメディアモジュール視聴要求であり、前記スイッチ要求が第１スイッチ要求であり、
前記ブルートゥースモジュールが、前記端末装置により送信された前記マルチメディアモジュール視聴要求を受信し、前記マルチメディアモジュール視聴要求に従って前記第１スイッチモジュールに前記第１スイッチ要求を送信するように具体的に構成され、
前記第１スイッチモジュールが、前記第１スイッチ要求に従って、前記ブルートゥースモジュールと前記マルチメディアモジュールとの間のデータ伝送接続を確立するように構成される、
請求項１又は請求項２に記載のブルートゥースイヤホン。
【請求項４】
前記シナリオ通知が前記端末装置により送信されたマイクロプロセッサ制御ユニットデータ同期要求であり、前記スイッチ要求が第２スイッチ要求であり、
前記ブルートゥースモジュールが、前記端末装置により送信された前記マイクロプロセッサ制御ユニットデータ同期要求を受信し、前記マイクロプロセッサ制御ユニットデータ同期要求に従って前記第１スイッチモジュールに前記第２スイッチ要求を送信するように具体的に構成され、
前記第１スイッチモジュールが、前記第２スイッチ要求に従って、前記ブルートゥースモジュールと前記マイクロプロセッサ制御ユニットとの間のデータ伝送接続を確立するように構成される、
請求項１又は請求項２に記載のブルートゥースイヤホン。
【請求項５】
前記シナリオ通知が前記マイクロプロセッサ制御ユニットにより送信された事前設定イベント発生通知であり、前記スイッチ要求が第３スイッチ要求であり、
第２ＧＰＩＯ接続が前記ブルートゥースモジュールと前記マイクロプロセッサ制御ユニットとの間で確立され、
前記マイクロプロセッサ制御ユニットが、事前設定されたイベントが発生したことを検出する場合に、前記第２ＧＰＩＯ接続を使用することにより前記ブルートゥースモジュールに前記事前設定イベント発生通知を送信するように構成され、
前記ブルートゥースモジュールが、前記マイクロプロセッサ制御ユニットにより送信された前記事前設定イベント発生通知を受信し、前記事前設定イベント発生通知に従って前記第１スイッチモジュールに前記第３スイッチ要求を送信するように具体的に構成され、
前記第１スイッチモジュールが、前記第３スイッチ要求に従って、前記ブルートゥースモジュールと前記マイクロプロセッサ制御ユニットとの間のデータ伝送接続を確立するように構成される、
請求項１又は請求項２に記載のブルートゥースイヤホン。
【請求項６】
サウンドモジュール及び第２スイッチモジュールを更に備え、
前記サウンドモジュールが前記第２スイッチモジュールに接続されるとともに、前記第２スイッチモジュールが、前記ブルートゥースモジュール、前記マルチメディアモジュール、及び前記マイクロプロセッサ制御ユニットに接続され、
前記マイクロプロセッサ制御ユニットが、ユーザにより入力された選択情報を受信し、前記選択情報に従って前記第２スイッチモジュールに制御信号を送信するように構成され、
前記第２スイッチモジュールが、前記制御信号に従って、前記ブルートゥースモジュールと前記サウンドモジュールとの間の接続を確立するか、又は前記マルチメディアモジュールと前記サウンドモジュールとの間の接続を確立するように構成される、
請求項１から請求項５のいずれか一項に記載のブルートゥースイヤホン。
【請求項７】
前記サウンドモジュールが第１チャネルユニットと第２チャネルユニットとを備えるとともに、前記第２スイッチモジュールが第１チャネルスイッチユニットと第２チャネルスイッチユニットとを備え、
前記第１チャネルユニットが前記第１チャネルスイッチユニットに接続されるとともに、前記第２チャネルユニットが前記第２チャネルスイッチユニットに接続され、
前記第１チャネルスイッチユニットが、前記ブルートゥースモジュール、前記マルチメディアモジュール、及び前記マイクロプロセッサ制御ユニットに接続されるとともに、前記第２チャネルスイッチユニットが、前記ブルートゥースモジュール、前記マルチメディアモジュール、及び前記マイクロプロセッサ制御ユニットに接続され、
前記マイクロプロセッサ制御ユニットが、前記ユーザにより入力された前記選択情報を受信し、前記選択情報に従って、前記第１チャネルスイッチユニット及び前記第２チャネルスイッチユニットに前記制御信号を送信するように構成され、
前記第１チャネルスイッチユニットが、前記制御信号に従って、前記ブルートゥースモジュールと前記第１チャネルユニットとの間の接続を確立するか、又は前記マルチメディアモジュールと前記第１チャネルユニットとの間の接続を確立するように構成され、
前記第２チャネルスイッチユニットが、前記制御信号に従って、前記ブルートゥースモジュールと前記第２チャネルユニットとの間の接続を確立するか、又は前記マルチメディアモジュールと前記第２チャネルユニットとの間の接続を確立するように構成される、
請求項６に記載のブルートゥースイヤホン。
【請求項８】
インタフェースモジュール及び第３スイッチモジュールを更に備え、
前記インタフェースモジュールが前記第３スイッチモジュールに接続されるとともに、前記第３スイッチモジュールが、前記ブルートゥースモジュール、前記マルチメディアモジュール、及び前記マイクロプロセッサ制御ユニットに接続され、前記第３スイッチモジュールが、前記ブルートゥースモジュールと前記インタフェースモジュールとの間の接続を最初に確立し、
第２ＧＰＩＯ接続が前記ブルートゥースモジュールと前記マイクロプロセッサ制御ユニットとの間で更に確立され、
前記ブルートゥースモジュールが、前記端末装置により送信されたアップグレード情報を、前記インタフェースモジュールを使用することにより受信し、前記アップグレード情報のアップグレードタイプを判定し、前記第２ＧＰＩＯ接続を使用することにより前記マイクロプロセッサ制御ユニットに前記アップグレードタイプを送信するように構成され、
前記マイクロプロセッサ制御ユニットが、前記アップグレードタイプに従って、前記第３スイッチモジュールが前記ブルートゥースモジュールと前記インタフェースモジュールとの間の前記接続を前記マルチメディアモジュールと前記インタフェースモジュールとの間の接続に切り替えるかどうかを制御するように構成され、
前記アップグレードタイプが、前記ブルートゥースモジュールをアップグレードすること、前記マイクロプロセッサ制御ユニットをアップグレードすること、又は前記マルチメディアモジュールをアップグレードすることを含む、
請求項１に記載のブルートゥースイヤホン。
【請求項９】
前記アップグレードタイプが前記マルチメディアモジュールをアップグレードすることである場合、前記マイクロプロセッサ制御ユニットが、前記ブルートゥースモジュールと前記インタフェースモジュールとの間の前記接続を前記マルチメディアモジュールと前記インタフェースモジュールとの間の前記接続に切り替えるように、前記第３スイッチモジュールを制御するように具体的に構成される、
請求項８に記載のブルートゥースイヤホン。
【請求項１０】
第３ＧＰＩＯ接続が前記マルチメディアモジュールと前記マイクロプロセッサ制御ユニットとの間で更に確立され、
前記マイクロプロセッサ制御ユニットが、前記マルチメディアモジュールにより送信されたアップグレード完了情報を、前記第３ＧＰＩＯ接続を使用することにより受信し、前記アップグレード完了情報に従って、前記マルチメディアモジュールと前記インタフェースモジュールとの間の前記接続を前記ブルートゥースモジュールと前記インタフェースモジュールとの間の前記接続に切り替えるように、前記第３スイッチモジュールを制御するように構成される、
請求項９に記載のブルートゥースイヤホン。
【請求項１１】
前記ブルートゥースモジュールが前記サウンドモジュールに接続され、
前記ブルートゥースモジュールが、当該ブルートゥースイヤホンの再生されるべき情報を事前設定された言語における音声情報に変換し、前記サウンドモジュールに前記事前設定された言語における前記音声情報を送信するように構成され、
前記サウンドモジュールが、前記事前設定された言語における前記音声情報を前記ユーザに対して再生するように構成される、
請求項６又は請求項７に記載のブルートゥースイヤホン。
【外国語明細書】
2019207689000001.pdf